(57)【要約】  【課題】コピー画像（参考画像）読み取ることで，該参考画像中の中間調の線分（例えば，中間調の濃度を呈するマーカーペンや専用のペン等の線）で囲まれた領域を認識すると共に，予め画像形成装置側に記憶される原稿の画像データのうち，上記参考画像の上記中間調の線分で囲まれた領域に対応する領域の内部或いは外部の画像データに適宜の処理を施す画像形成装置，及び該画像形成装置の印字方法を提供する。  【解決手段】読み取られた上記参考画像の画像データに，マーカーペンや専用のペン等で囲まれた領域があるか否かを判別する（Ｓ６）。該領域がないと判別された場合には（Ｓ６のＮｏ側），上記参考画像の画像をそのまま改変せずにシートに印字出力し（Ｓ７），該領域があると判別された場合には（Ｓ６のＹｅｓ側），上記領域の内部或いは該領域の外部が印字される（Ｓ９，１０）。【選択図】図３
2005167875.tif 000002
【特許請求の範囲】
【請求項１】
読み取られた原稿の画像データを記憶する原稿画像データ記憶手段と，
上記原稿の画像データに基づいた参考画像を第１のシートに印字出力する参考画像印字出力手段と，
該参考画像印字出力手段により上記第１のシートに印字出力された上記参考画像を読み取る参考画像読取手段と，
該参考画像読取手段により読み取られた上記参考画像を用いて上記原稿画像データ記憶手段に記憶される上記原稿の画像データに適宜の処理を施す原稿画像処理手段と，
該原稿画像処理手段により処理が施された上記原稿の画像データを第２のシートに印字出力する処理済画像印字出力手段とを具備してなる画像形成装置において，
上記原稿画像処理手段が，上記参考画像中の中間調の線分で囲まれた領域を認識すると共に，上記原稿画像データ記憶手段に記憶された上記原稿の画像データにおける上記中間調の線分で囲まれた領域に対応する領域の内部或いは外部のデータについて上記適宜の処理を施すものであることを特徴とする画像形成装置。
【請求項２】
上記適宜の処理が，上記中間調の線分で囲まれた領域の内部或いは外部のデータを削除或いは単一色の画像データで置き換える処理である請求項１に記載の画像形成装置。
【請求項３】
上記原稿画像データ記憶手段が，上記原稿の画像のデータに該原稿画像のデータを識別する第１の識別情報を関連付けて記憶するものである請求項１或いは２のいずれかに記載の画像形成装置。
【請求項４】
上記参考画像印字出力手段が，上記原稿の画像データと関連付けられた上記第１の識別情報に対応する第２の識別情報を上記原稿の画像データと共に上記第１のシートに印字出力するものである請求項３に記載の画像形成装置。
【請求項５】
上記原稿画像処理手段が，上記第１のシートに印字出力された上記参考画像中の上記第２の識別情報に対応する上記第１の識別情報に関連づけられた上記原稿の画像データについて上記適宜の処理を施すものである請求項１〜４のいずれかに記載の画像形成装置。
【請求項６】
上記第２の識別情報がバーコードである請求項３〜５のいずれかに記載の画像形成装置。
【請求項７】
上記中間調の線分が，専用ペン或いはマーカーペンを用いて上記第１のシートに加筆されたものである請求項１〜６のいずれかに記載の画像形成装置。
【請求項８】
読み取られた原稿の画像データを記憶すると共に，該原稿の画像データを第１のシートに参考画像として印字出力し，該第１のシートに印字出力された参考画像を用いて上記原稿の画像データに適宜の処理を施した後に第２のシートに印字出力する画像形成装置の印字方法において，
上記第１のシートに印字された参考画像を読み取ることによって，該参考画像中の中間調の線分で囲まれた領域を認識すると共に，上記記憶された原稿の画像データのうち，上記参考画像の上記中間調の線分で囲まれた領域に対応する領域の内部或いは外部の画像データに上記適宜の処理を施すものであることを特徴とする画像形成装置の印字方法。
【発明の詳細な説明】
【技術分野】
【０００１】
読み取られた原稿の画像データを記憶すると共に，該原稿の画像データを第１のシートに参考画像として印字出力し，該参考画像を用いて上記原稿の画像データに適宜の処理を施した後に第２のシートに印字出力する画像形成装置，及び該画像形成装置の印字方法において，特に，上記参考画像を読み取ることで，該参考画像中の中間調の線分（例えば，中間調の濃度を呈するマーカーペンや専用のペン等の線）で囲まれた領域を認識すると共に，上記記憶された原稿の画像データのうち，上記参考画像の上記中間調の線分で囲まれた領域に対応する領域の内部或いは外部の画像データに上記適宜の処理を施す画像形成装置，及び該画像形成装置の印字方法に関するものである。
【背景技術】
【０００２】
複写機，プリンタ，ファクシミリ，或いはその複合機として構成される画像形成装置には，原稿画像を用紙等のシートに印字出力する際に，原稿画像のデータを画像形成装置側に記憶して，次回に同様の原稿画像を印字する場合に，画像形成装置側に記憶された上記原稿画像のデータを用いて印字出力する画像形成装置が存在する。
例えば，特許文献１に示される文書画像ファイリング装置（即ち上記画像形成装置の一例）では，まず原稿の画像が用紙等のシート（以下，印字物という）に印字される際に，該原稿の画像データ（以下，画像データＡという）が文書画像ファイリング装置に記憶される。その後，利用者が上記印字物上の画像に対して自由に加筆修正して，該印字物を文書画像ファイリング装置に読み込ませる（以下，上記印字物上の画像のデータを画像データＢという）と，上記画像データＢが有する利用者が加筆修正した箇所が，上記画像データＡに反映されると共に，加筆修正が反映された後の画像がシートに印字される仕組みになっている。この場合，上記画像データＢから上記画像データＡを引き算する画像間演算により，該画像データＡと画像データＢとの差分データが取得され，この差分データが上記画像データＡに重ね合わせられる。
また，特許文献１に示される画像形成装置では，該画像形成装置が備える領域指定部から変更を禁止する領域（以下，更新禁止領域という）を指定できるので，利用者が加筆修正した箇所が上記更新禁止領域に含まれていても，上記更新禁止領域の内容を変更せずにシートへ印字出力される。
【特許文献１】特開２００１−２８３２３１号公報
【発明の開示】
【発明が解決しようとする課題】
【０００３】
ここで，近年製造される画像形成装置には，用紙等のシートに印字された画像のうち，利用者が所望する領域のみを印字できるものがある。このような画像形成装置では，一般に，上記シートから読み取った画像データのみに基づいて，上記利用者が所望する領域が認識されている。即ち，例えば，上記利用者が所望する領域を中間調の濃度を呈するマーカーペンや専用のペン等の線で囲んだ場合，該マーカーペンや専用のペン等で描かれた線に対する反射光量が，Ａ／Ｄ変換されてＣＣＤから出力される際のデータに関する閾値が，画像形成装置が備える適宜の記憶部に予め記憶されており，上記画像データと上記閾値とから上記利用者が所望する領域が認識されている。
しかしながら，上述した印字する領域が指定できる画像形成装置において，原稿を加筆しない状態で残しておく場合には，利用者は，原稿を別途シートに印字し，該シートに印字された画像に対して領域を指定する加筆（中間調の濃度を呈するマーカーペンや専用のペン等の線で囲むこと等）を行った後に，再び該シート上の画像を画像形成装置に読み込ませるという作業を行っていた。即ち，印字に用いられる画像データが，原稿から読み取った画像データではなく，一度シート上に印字出力されたコピー原稿の画像データであるため，原稿から読み取った画像データを用いて印字出力する場合に比べて，画質の劣化や解像度の低下が生じるという問題点があった。
また，例えば特許文献１に示される技術は，原稿画像データの指定された領域内或いは領域外のみを抽出して画像形成するものではない。更に，上記特許文献１に示される技術では，画像間演算による上記差分データの取得に大きな演算負荷がかかるという問題もある。
従って，本発明は上記事情に鑑みてなされたものであり，その目的とするところは，読み取られた原稿の画像データを記憶すると共に，該原稿の画像データを第１のシートに参考画像として印字出力し，該参考画像を用いて上記原稿の画像データに適宜の処理を施した後に第２のシートに印字出力する画像形成装置，及び該画像形成装置の印字方法において，特に，上記参考画像を読み取ることで，該参考画像中の中間調の線分（例えば，中間調の濃度を呈するマーカーペンや専用のペン等の線）で囲まれた領域を認識すると共に，上記記憶された原稿の画像データのうち，上記参考画像の上記中間調の線分で囲まれた領域に対応する領域の内部或いは外部の画像データに上記適宜の処理を施す画像形成装置，及び該画像形成装置の印字方法を提供することにある。
【課題を解決するための手段】
【０００４】
上記目的を達成するために，本発明は，読み取られた原稿の画像データを記憶する原稿画像データ記憶手段と，上記原稿の画像データに基づいた参考画像を第１のシートに印字出力する参考画像印字出力手段と，該参考画像印字出力手段により上記第１のシートに印字出力された上記参考画像を読み取る参考画像読取手段と，該参考画像読取手段により読み取られた上記参考画像を用いて上記原稿画像データ記憶手段に記憶される上記原稿の画像データに適宜の処理を施す原稿画像処理手段と，該原稿画像処理手段により処理が施された上記原稿の画像データを第２のシートに印字出力する処理済画像印字出力手段とを具備してなる画像形成装置において，上記原稿画像処理手段が，上記参考画像中の中間調の線分で囲まれた領域を認識すると共に，上記原稿画像データ記憶手段に記憶された上記原稿の画像データにおける上記中間調の線分で囲まれた領域に対応する領域の内部或いは外部のデータについて上記適宜の処理を施すものであることを特徴とする画像形成装置として構成される。
この場合，上記適宜の処理としては，上記中間調の線分で囲まれた領域の内部或いは外部のデータを削除或いは単一色の画像データで置き換える処理，即ちトリミングやマスキング等の処理が考えられる。
【０００５】
また，上記原稿画像データ記憶手段については，上記原稿の画像のデータに該原稿画像のデータを識別する第１の識別情報を関連付けて記憶するものであり，上記参考画像印字出力手段については，上記原稿の画像データに関連付けられた上記第１の識別情報に対応する第２の識別情報を上記原稿の画像データと共に上記第１のシートに印字出力するものであることが望ましい。尚，上記第２の識別情報については例えばバーコードであることが考えられる。
この場合，上記原稿画像処理手段が，上記第１のシートに印字出力された上記参考画像中の上記第２の識別情報に対応する上記第１の識別情報に関連づけられた上記原稿の画像データについて上記適宜の処理を施すものであれば，なおよい。
【０００６】
ここで，上記中間調の線分については，専用ペン或いはマーカーペンを用いて上記第１のシートに加筆されたものであることが考えられる。
【０００７】
尚，本発明は，読み取られた原稿の画像データを記憶すると共に，該原稿の画像データを第１のシートに参考画像として印字出力し，該第１のシートに印字出力された参考画像を用いて上記原稿の画像データに適宜の処理を施した後に第２のシートに印字出力する画像形成装置の印字方法において，上記第１のシートに印字された参考画像を読み取ることによって，該参考画像中の中間調の線分で囲まれた領域を認識すると共に，上記記憶された原稿の画像データのうち，上記参考画像の上記中間調の線分で囲まれた領域に対応する領域の内部或いは外部の画像データに上記適宜の処理を施すものであることを特徴とする画像形成装置の印字方法としても構成され得る。
【発明の効果】
【０００８】
以上説明したように本発明では，上記原稿画像処理手段が，該参考画像中の中間調の線分で囲まれた領域を認識すると共に，上記原稿画像データ記憶手段に記憶された上記参考原稿の上記中間調の線分で囲まれた領域に対応する領域の内部或いは外部の画像データについて，トリミングやマスキング等の上記適宜の処理を施している。即ち，上記画像形成装置を用いて，利用者が所望する領域（中間調の濃度を呈するマーカーペンや専用のペン等の線で囲まれた領域）のみを印字する場合，印字に用いられる画像データについては，上記原稿画像データ記憶手段に記憶された上記原稿の画像データ，即ち原稿の原紙から読み取った画像データであることから，上記第２のシートに印字出力される画質の劣化や解像度が低下するという問題が解消される。
更に本発明では，上記原稿の画像のデータには上記第１の識別情報が関連付けられており，また上記第１のシートには上記第２の識別情報（例えばバーコード）と上記原稿の画像データとが印字出力されている。即ち，上記原稿画像処理手段は，上記原稿画像データ記憶手段に記憶された上記原稿の画像データを，上記第２の識別情報に基づいて自動的に選択できる仕組みになっている。そのため，複数の上記原稿の画像データが上記原稿画像データ記憶手段に記憶されている場合でも，上記原稿の画像データを手動で指定するといった作業を利用者が行う必要がない。
【発明を実施するための最良の形態】
【０００９】
以下添付図面を参照しながら，本発明の実施の形態及び実施例について説明し，本発明の理解に供する。尚，以下の実施の形態及び実施例は，本発明を具体化した一例であって，本発明の技術的範囲を限定する性格のものではない。
ここに，図１は本発明の一実施形態（以下，本実施形態例と言う）に係る画像形成装置Ａの概略断面図，図２は本実施形態例に係る画像形成装置Ａの制御系統における主要部の構成ブロック図，図３は本実施形態例に係る画像形成装置Ａにおける制御部３０が実施する印字処理を表すフローチャートである。
【００１０】
まず図１を用いて，本実施形態例に係る画像形成装置Ａの全体構成について説明する。尚，本実施形態例で挙げられる画像形成装置Ａは，モノクロ現像に関するものであるが，カラー現像に関するものであっても同様である。また，画像形成装置Ａは，単独で印刷処理が実施される画像形成装置でもよいし，ネットワークを介して外部端末などからのデータ信号を受信することで，印刷処理が実施される画像を読み取る機能を備えた複写機やＦＡＸ等の画像形成装置でもよい。
【００１１】
画像形成装置Ａは，下方に複数のカセット５を装着する給紙部が備えられおり，種々の形態のシートがそれぞれ収容されている。複数のカセット５を装着する給紙部の上方に両面ユニット６が配置され，その上方には画像形成部７が設けられている。この画像形成部７の横には，転写紙などのシートにトナーを定着させる定着装置２０が設けられ，その上部には画像を読み取るスキャナ８（本発明における参考画像読取手段の一例），自動原稿搬送装置（以下，ＡＤＦという）９が取り付けられている。 また画像形成装置Ａの本体上面には，液晶タッチパネル等の表示操作部３が配置されており，この表示操作部３には，複数のボタンやスイッチなどが設けられている。これらのボタンやスイッチなどを利用者が操作することで，後述する原稿上の画像における適宜のペンで囲まれた領域の印字或いは削除等の画像形成装置Ａが備える諸機能に対する設定が可能になる。また，表示操作部３には画像形成装置Ａに関する情報が表示される。
また上述した画像形成部７には，像担持体としての感光体ドラム１１の周囲に，該感光体ドラム１１の表面を帯電させる帯電装置１２，上記感光体ドラム１１の表面に形成される静電潜像をトナーで現像する現像装置１３，上記感光体ドラム１１の表面に残留したトナーを除去するクリーニング装置１４が配置された作像ユニット１５が設けられており，下方には感光体ドラム１１に対向して用紙などのシートへトナー画像を転写する転写装置１６が配置されている。感光体ドラム１１は，例えば直径８４ｍｍのアルミ円筒の表面に感光層が形成されており，図１において時計方向に回転駆動される。また帯電装置１２は，回転する感光体ドラム１１の表面をコロナ放電により数百Ｖに帯電させている。感光体ドラム１１表面の帯電装置１２よりも回転方向下流側では，ＬＥＤアレイヘッドとセルフォックレンズ等から構成される露光装置１８により，感光体ドラム１１の表面が露光されて静電潜像が形成される。この露光装置１８の発光出力の制御に用いられる画像データは画像処理部４から入力されている。
【００１２】
以下，画像形成装置Ａにおける一連の印字処理について説明する。
画像形成装置Ａが備える原稿台に載置，或いはＡＤＦ９により搬送された原稿は，光源であるスキャナ８により走査された後，その原稿の反射光はミラーを介してＣＣＤ１０（Charge-Coupled Device；画像信号を電気信号に変換するデバイス）へ入射され，ここでＡ／Ｄ変換されてデジタル画像データとして画像処理部４に入力される。
この画像処理部４では，入力されたデジタル画像データ（以下，画像データという）に対して適宜の画像処理が施される。この画像処理の際，上記原稿にバーコード等の識別情報の画像（以下，バーコード画像という）が印字されている，即ち上記原稿がコピー原稿である場合，画像処理部４は，読み取られたコピー原稿の画像（以下，参考画像と言う）の画像データに対して適宜の画像処理を行うのではなく，後述する内部記憶部３１に記憶される原稿の画像データ（以下，原稿画像データという）に対して行う。そのため，本発明では，内部記憶部３１に記憶される原稿画像データには，該原稿画像データを識別するために，上記参考画像に印字された上記バーコード等の識別情報の画像データ（以下，バーコード情報という）に対応した識別データが付加されている。このことにより，上記バーコード情報に基づいて，内部記憶部３１から原稿画像データが自動的に取得される仕組みになっている。また画像処理部４では，内部記憶部３１に予め記憶される上記マーカーペンや専用のペン等の反射光量がＣＣＤ１０から出力される際のデータに関する閾値と（以下，判別用データ閾値という），上記画像データとに基づいて，利用者が印字出力を所望する領域の認識も行われる。尚，画像処理部４における詳しい処理については後述する。
その後，上記画像データは，露光装置制御手段１９に入力されることで，入力された原稿画像データに従った露光が行われるように，露光装置制御手段１９により露光装置１８が制御される。
また現像装置１３では，現像ローラと該現像ローラの表面に形成される磁気ブラシとを用いて，感光体ドラム１１の表面の静電潜像にトナーを付着させることで，感光体ドラム１１の表面にトナー画像を形成させる。またこのトナー画像は，転写装置１６において，感光体ドラム１１と該感光体ドラム１１の周速と同じ速度で移動する転写ベルト１７との間に扶持された状態で搬送されたシート上に転写される。また転写装置１６の下流側には，更にクリーニング装置１４が配置されており，感光体ドラム１１の表面上に残留したトナーや他の付着物が除去される。転写装置１６によってトナー画像が転写されたシートは，その搬送方向下流側に設けられた定着装置２０に運ばれる。尚，画像形成装置Ａが備える転写装置１６は，転写ベルトを用いたものが採用されているが，これを転写ローラに置き換えることも可能である。
【００１３】
定着装置２０は，定着ローラ１，及びこれに対向する加圧機構を備えた加圧ローラ２から構成されている。上述した転写ベルト（或いは転写ローラ）により転写装置１６から搬送されたシートに付着しているトナー画像は，シートが定着ローラ１と加圧ローラ２との間を通過する間に，定着ローラ１の熱によってトナー画像が溶融定着されると共に，加圧ローラ２によりシートが定着ローラ１に押し付けられることで，シートに定着する。このトナー画像が定着したシートは，その後，シート処理装置Ｂ側へ送出される。
【００１４】
次に，図２を用いて，本実施形態例に係る画像形成装置Ａの制御系統における主要部の構成について説明する。
画像形成装置Ａを制御する制御部３０は，画像形成装置Ａに設けられる各装置（上記表示操作部３，上記画像処理部４，画像形成装置Ａに関する情報や原稿の画像データ等を記憶する内部記憶部３１（本発明における原稿画像データ記憶手段の一例））とバスで各々接続されている。尚，原稿の画像データについては制御部３０が備えるＲＡＭや，画像形成装置Ａとネットワーク接続される外部装置等に記憶されてもよい。また，この制御部３０にて，ＲＯＭ等の記憶部に格納されたプログラム（参考画像印字出力処理部３３，原稿画像処理部３４，処理済画像印字出力処理部３５等）が実行されることにより，各種制御及び演算処理が行われる。詳細は後述する。
【００１５】
次に，本発明の実施の形態に係る画像形成装置Ａにおける制御部３０が実施する印字処理について，図３のフローチャートを用いて説明する。
本処理は，シートに印字された画像がスキャナ８を用いて画像形成装置Ａに読み込まれた際に，該画像中のマーカーペンや専用のペン等で描かれた線分で囲まれた領域，即ち中間調の線分で囲まれた領域を認識すると共に，該領域内部或いは外部に対応する画像データを印字出力する処理である。
尚，本処理の前提として，前記参考画像（即ち，原稿コピーの画像）中のマーカーペンや専用のペン等で囲まれた領域の認識に用いられる，前記判別用データ閾値については，内部記憶部３１に予め記憶されているものとする。この判別用データ閾値については，制御部３０が備えるＲＡＭ等の画像形成装置Ａが備える適宜の記憶部に記憶されてもよいことは言うまでもない。また，原稿の画像データについては内部記憶部３１に記憶されるものとする。更に，上記参考画像に印字された前記バーコード画像については，該参考画像が印字されているシートの予め定められた位置に印字されているものとする。
【００１６】
まず制御部３０は，印字開始を指示する操作として，表示操作部３に設けられたスタートボタン等が，利用者により押下されたか否かを，表示操作部３からの入力情報により検出する（Ｓ１）。該入力情報が制御部３０に入力されたタイミングで本処理が起動される（Ｓ１のＹｅｓ側）。
本処理が起動されると，制御部３０はスキャナ８を制御することにより，原稿台に載置された用紙等のシートに印字された画像を読み取る（Ｓ２）。読み取られた画像はＣＣＤ１０にてＡ／Ｄ変換された後に，画像データとして画像処理部４へ入力される（以下，画像データＸという）。画像処理部４に入力された上記画像データＸにおいて，予め定められた位置に上記バーコード情報が存在するか否かを判別する（Ｓ３）。
【００１７】
以下，上記画像データＸにおいて，予め定められた位置に上記バーコード情報が存在する場合（Ｓ３のＹｅｓ側）について説明する。
予め定められた位置に上記バーコード情報が存在する場合，まず制御部３０は，上記画像データＸから上記バーコード情報を取得して制御部３０が備えるメモリ等に格納する（Ｓ４）。次に制御部３０により，そのバーコード情報に対応する識別情報が付加された原稿の画像データ（以下，画像データＹという）が内部記憶部３１から取得される（Ｓ５）。
上記ステップＳ２の処理で読み取られた上記画像データＸに，マーカーペンや専用のペン等で囲まれた領域（以下，指定領域という）があるか否かが，上記判別用データ閾値に基づいて判別される（Ｓ６）。上記画像データＸに上記指定領域がないと判別された場合には（Ｓ６のＮｏ側），上記画像データＹの画像をそのまま改変せずにシートに印字出力し，本処理を終了させる（Ｓ７）。また，上記画像データＸに上記指定領域があると判別された場合には（Ｓ６のＹｅｓ側），表示操作部３からの入力情報に基づいて，上記指定領域の内部を印字するのか，上記指定領域の内部を印字せずに該指定領域の外部のみを印字するのかが判別される（Ｓ８）。上記指定領域の内部を印字すると判別された場合には（Ｓ８の「印字」側），上記画像データＸの上記指定領域に対応する領域の内部の画像データＹに基づいて印字出力される（Ｓ１０）。上記指定領域の内部を印字せずに該指定領域の外部のみを印字すると判別された場合には（Ｓ８の「削除」側），上記画像データＸの上記指定領域に対応する領域の外部の画像データＹに基づいて印字出力される（Ｓ９）。これらの場合，画像データが印字出力されるシートにバーコードは印字されない。
ここで，上述したステップＳ９及びＳ１０の処理では，印字出力しない領域については，該印字出力しない領域に対応する画像データが，例えばモノクロ現像の場合には削除され，カラー現像の場合には単一色の画像データで置き換えられる。
尚，上記ステップＳ６，Ｓ８の処理は，制御部３０が原稿画像処理部３４を制御することにより実現され（本発明における原稿画像処理手段の一例），上記ステップＳ７，Ｓ９及びＳ１０の処理は，制御部３０が処理済画像印字出力部３５を制御することにより実現される（本発明における処理済画像印字出力手段の一例）。
【００１８】
次に，上記画像データＸにおいて，予め定められた位置に上記バーコード情報が存在しない場合（Ｓ３のＮｏ側）について説明する。
予め定められた位置に上記バーコード情報が存在しない場合，制御部３０が，上記ステップＳ２で読み取られた上記画像データＸに，該画像データＸを特定する識別情報を付加し（Ｓ１１），原稿画像のデータ，即ち上記ステップＳ５で用いられる画像データＹとして内部記憶部３１に記憶する（Ｓ１２）。次に，上記画像データＸの画像がシートに印字出力される（Ｓ１３）。この場合，上記画像データＸに付加した該画像データＸを特定する識別情報（即ち上記画像データＹに付加された識別情報）に対応するバーコード情報を画像化したバーコード画像が，上記ステップＳ１３で印字出力されたシートの予め定められた位置に印字される（Ｓ１４）。
尚，上記ステップＳ１３及びＳ１４の処理は，制御部３０が参考画像印字出力部３３を制御することにより実現される（本発明における参考画像印字出力手段の一例）。
【００１９】
ここで，本処理では，上記画像データＸと上記参考画像から読み取られた画像データＹとの照合を，上記画像データＸを特定するの識別情報と，上記参考画像が印字されるシートの予め定められた位置に上記バーコード画像をデータ化したバーコード情報とを用いて行っているが，これに限らず，上記参考画像に上記画像データＸを特定する記号等，上記画像データＸを識別する情報であればどのようなものでもよい。
【図面の簡単な説明】
【００２０】
【図１】本発明の一実施形態に係る画像形成装置Ａの概略断面図。
【図２】本発明の一実施形態に係る画像形成装置Ａの制御系統における主要部の構成ブロック図。
【図３】本発明の一実施形態に係る画像形成装置Ａにおける制御部３０が実施する印字処理を表すフローチャート。
【符号の説明】
【００２１】
１…定着ローラ
２…加圧ローラ
３…表示操作部
４…画像処理部
５…カセット
６…両面ユニット
７…画像形成部
８…スキャナ
９…自動原稿搬送装置（ＡＤＦ）
１０…ＣＣＤ
１１…感光体ドラム
１２…帯電装置
１３…現像装置
１４…クリーニング装置
１５…作像ユニット
１６…転写装置
１７…転写ベルト
１８…露光装置
１９…露光装置制御手段
２０…定着装置
３０…制御部
３１…内部記憶部
３３…参考画像印字出力処理部
３４…原稿画像処理部
３５…処理済画像印字出力処理部
【図１】
2005167875.tif 000003
【図２】
2005167875.tif 000004
【図３】
2005167875.tif 000005